(57)【要約】【課題】トンネル掘削坑道の地山面（一次覆工コンクリート面）に、複数の長尺帯状の防水シートを、その長辺方向をトンネル周長方向に沿わせながら対接させ、かつ隣接する防水シートの端縁部同士を接合するに際し、地山面の凹凸に左右されることなく、そのトンネル周長方向の長さを確実に合わせて張設することができるトンネル施工用防水シート等を提供する。【解決手段】長尺帯状の透水性シートの一面に同面形状の不透水性シートが載置され、その両長辺の端縁部を除き、両シートが全面又は部分接合されているトンネル施工用防水シートであって、前記透水性シート及び／又は前記不透水性シートにその短辺と平行に所定の等間隔で所定の幅のラインが複数個設けられていることを特徴とするトンネル施工用防水シート等。【選択図】図２
2013147821.tif 000002
【特許請求の範囲】
【請求項１】
長尺帯状の透水性シートの一面に同面形状の不透水性シートが載置され、その両長辺の端縁部を除き、両シートが全面又は部分接合されているトンネル施工用防水シートであって、前記透水性シート及び／又は前記不透水性シートにその短辺と平行に所定の等間隔で所定の幅のラインが複数個設けられていることを特徴とするトンネル施工用防水シート。
【請求項２】
前記ラインが所定の広幅ラインと所定の狭幅ラインとが交互に並ぶよう設けられていることを特徴とする請求項１に記載のトンネル施工用防水シート。
【請求項３】
前記不透水性シートに設けられるラインが透明であることを特徴とする請求項１又は２に記載のトンネル施工用防水シート。
【請求項４】
トンネル掘削坑道の地山面に、請求項１〜３のいずれか１項に記載される複数の防水シートを、その長辺方向をトンネル周長方向に沿わせながら、その透水性シート側を対接させ、かつ隣接する防水シートの透水性シート及び／又は不透水性シートに設けられたラインが相互に重なり合うよう位置決めすると共に、隣接する透水性シートの端縁部同士を重ね合わせ、これを地山面にコンクリート釘で固定して接合し、次いで隣接する不透水性シートの端縁部同士を重ね合わせるか又は合掌させて液密に熱溶着して接合することを特徴とするトンネル用防水シートの施工方法。
【発明の詳細な説明】
【技術分野】
【０００１】
本発明は、トンネル施工用防水シート及びその施工方法に関し、更に詳しくは、トンネル掘削坑道の地山面（一次覆工コンクリート面）に、複数の長尺帯状の防水シートを、その長辺方向をトンネル周長方向に沿わせながら対接させ、かつ隣接する防水シートの端縁部同士を接合するに際し、地山面の凹凸に左右されることなく、そのトンネル周長方向の長さを確実に合わせて張設することができるトンネル施工用防水シート及びその施工方法に関する。
【背景技術】
【０００２】
従来、ＮＡＴＭ工法に見られるように、トンネルの一次覆工コンクリートと二次覆工コンクリートとの間に防水シートを張設し、一次覆工コンクリート側から二次覆工コンクリート側への湧水の漏水を防止することが行われている。
通常、このような防水シートの張設作業に際しては、例えば、図４のように、長尺帯状の透水性シート２０の一面に同面形状の不透水性シート３０が載置され、その両長辺の端縁部２０ａ，３０ａ，２０ｂ，３０ｂを除き、両シートが全面又は部分接合（同図は、接合ライン８０による部分接合）されている防水シート１０が用いられ、図６，７のように、トンネル掘削坑道の地山５０（一次覆工コンクリート、以下単に地山と記載することがある。）面に、複数枚のこのような防水シート１０を、その長辺方向をトンネル周長方向Ｙに沿わせながら、その透水性シート２０側を対接させ、かつ隣接する防水シート１０，１０の透水性シート２０，２０及び不透水性シート３０，３０の端縁部同士２０ａ，２０ｂ及び３０ａ，３０ｂをそれぞれコンクリート釘４０及び熱溶着６０により接合し、これを繰り返すことにより、逐次、トンネル長手方向Ｘへ防水シートの張設を拡張していく方法が採られている。そして、地山５０からの湧水を透水性シート２０によってトンネル外に導出すると共に、不透水性シート３０によって二次覆工コンクリート７０側への漏水を防止している。従って、該張設作業にあたっては、防水シート１０による二次覆工コンクリート７０に対する一次覆工コンクリート５０の液密な張設作業が必須となる。
【０００３】
しかし、このような防水シートの張設作業に先立つトンネル地山面の形成は、機械掘削、発破掘削等の掘削の後、掘削内空表面の一部又は全線にＨ型支保鋼を立て込み、該内空表面を一次吹き付けコンクリート（一次覆工コンクリート）で補強してなるものであり、該掘削及びＨ型支保鋼立て込み自体が掘削内空表面の凹凸形成を回避できない作業であり、しかも一次吹き付けコンクリート自体がかなり高価であることから、掘削内空表面の凹凸を低減するには限界がある。それ故、防水シートの張設作業は、このような凹凸のあるトンネル掘削坑道の地山面に複数の防水シートを接合しながら張設することを余儀なくされており、とりわけ液密性確保にはかなりの困難を伴うのが実情である。
【０００４】
特開平６−１２９１９２号公報（特許文献１）には、隣接する透水性シート同士の端縁部の重ね代を一定にできるように、少なくとも一方の透水性シートの端縁から所定距離の位置に目印を付け、これに対応する他方の透水性シートの端縁を該目印に合わせることができるようにした防水シートが開示されている。
【０００５】
しかし、この防水シートは、隣接する防水シートの透水性シート同士の端縁部の重ね代を一定にして接合することはできるものの、該重ね代の前後近傍の地山面の凹凸は必ずしも一定とは限らないので、隣接する防水シートのそれぞれのトンネル周長方向の長さを確実に揃えながら接合することは困難である。例えば、隣接する防水シートのうち、一方の防水シートの地山面が平坦で、これに対応する他方の防水シートの地山面が深い凹又は凸を含むものであった場合、この防水シートにより、それぞれの防止シートの透水性シートの重なり代を一定にして接合することはできるかもしれないが、通常、ぞれぞれの防止シートの透水性シートは地山面に沿わせて逐次接合していくことになるので、前者の平坦な地山面に張設する防水シートに対して後者の深い凹又は凸を含む地山面に張設する防水シートの方が余計に多くの長さを必要とすることになり、結果として両防水シートのトンネル周長方向の長さが揃わなくなることがある。この場合、実用時において、両防水シートのうち、周長方向の長さが短いものよりも長いものの方が地山からの湧水をより過大に含むことになるため、防水シート張設初期に液密な接合が保たれていたとしても、経時的に両者の接合面に重量差による応力歪が生じ、長いものの方が次第に脱落していき、やがて地山からの漏水を招いてしまうことがある。
【０００６】
そもそも、上述の通り、従来の防水シート１０の構成自体が、長尺帯状の透水性シート２０の一面に同面形状の不透水性シート３０が載置され、その両長辺の端縁部２０ａ，３０ａ，２０ｂ，３０ｂを除き、両シートが全面又は部分接合（接合ライン８０）されており、該両長辺の端縁部の未接合の自由端の距離Ａは一定であり、かつ該自由端の距離Ａは３０ｃｍ程度なので、隣接する防水シート１０，１０の透水性シート２０，２０の端縁部同士２０ａ，２０ｂを重ね合わせるときは、その距離の半分程度、即ち１５ｃｍ程度のところに目分量で合わせていけばそれ程大きな誤差を生じることなく、隣接する防水シート１０，１０の透水性シート２０，２０の端縁部同士２０ａ，２０ｂの重ね代を一定にできてしまうものである。
【０００７】
一方、トンネル周長方向の距離は、通常、１０数ｍ超過の非常に長いものであり、この長さに相当する防水シートを用い、トンネル地山の凹凸に左右されることなく、隣接する該防水シートの端縁部同士を接合しつつ、その周長方向の長さを確実に合わせるのは至難の業である。
即ち、従来の防水シートでは、トンネル掘削坑道の地山面に、複数の防水シートを対接させて張設し、かつ隣接する防水シートの端縁部同士を接合するに際し、当該地山面の凹凸により、トンネル周長方向の長さを確実に合わせて張設することは困難であった。
【先行技術文献】
【特許文献】
【０００８】
【特許文献１】特開平６−１２９１９２号公報
【発明の概要】
【発明が解決しようとする課題】
【０００９】
本発明は、上記事情に鑑みてなされたもので、トンネル掘削坑道の地山面（一次覆工コンクリート面）に、複数の長尺帯状の防水シートを、その長辺方向をトンネル周長方向に沿わせながら対接させ、かつ隣接する防水シートの端縁部同士を接合するに際し、地山面の凹凸に左右されることなく、そのトンネル周長方向の長さを確実に合わせて張設することができるトンネル施工用防水シート及びその施工方法を提供することを目的とする。
【課題を解決するための手段】
【００１０】
本発明は、上記目的を達成するため、鋭意検討を行なった結果、トンネル施工用防水シートとして、長尺帯状の透水性シートの一面に同面形状の不透水性シートが載置され、その両長辺の端縁部を除き、両シートが全面又は部分接合されているトンネル施工用防水シートであって、前記透水性シート及び／又は前記不透水性シートにその短辺と平行に所定の等間隔で所定の幅のラインが複数個設けられていることを特徴とするトンネル施工用防水シートを採用することによって、トンネル掘削坑道の地山面に、複数の長尺帯状の防水シートを、その長辺方向をトンネル周長方向に沿わせながら、その透水性シート側を対接させ、かつ隣接する防水シートの端縁部同士を接合するに際し、前記透水性シート及び／又は前記不透水性シートに設けられた複数の等間隔のラインを相互に重なり合うよう容易に位置決めすることができるので、地山面の凹凸に左右されることなく、そのトンネル周長方向の長さを確実に合わせて張設することができることを見出し、本発明をなすに至った。
【００１１】
即ち、本発明は、下記トンネル施工用防水シート及びその施工方法を提供する。
請求項１：
長尺帯状の透水性シートの一面に同面形状の不透水性シートが載置され、その両長辺の端縁部を除き、両シートが全面又は部分接合されているトンネル施工用防水シートであって、前記透水性シート及び／又は前記不透水性シートにその短辺と平行に所定の等間隔で所定の幅のラインが複数個設けられていることを特徴とするトンネル施工用防水シート。
請求項２：
前記ラインが所定の広幅ラインと所定の狭幅ラインとが交互に並ぶよう設けられていることを特徴とする請求項１に記載のトンネル施工用防水シート。
請求項３：
前記不透水性シートに設けられるラインが透明であることを特徴とする請求項１又は２に記載のトンネル施工用防水シート。
請求項４：
トンネル掘削坑道の地山面に、請求項１〜３のいずれか１項に記載される複数の防水シートを、その長辺方向をトンネル周長方向に沿わせながら、その透水性シート側を対接させ、かつ隣接する防水シートの透水性シート及び／又は不透水性シートに設けられたラインが相互に重なり合うよう位置決めすると共に、隣接する透水性シートの端縁部同士を重ね合わせ、これを地山面にコンクリート釘で固定して接合し、次いで隣接する不透水性シートの端縁部同士を重ね合わせるか又は合掌させて液密に熱溶着して接合することを特徴とするトンネル用防水シートの施工方法。
【発明の効果】
【００１２】
本発明によれば、トンネル掘削坑道の地山面（一次覆工コンクリート面）に、複数の長尺帯状の防水シートを、その長辺方向をトンネル周長方向に沿わせながら対接させ、かつ隣接する防水シートの端縁部同士を接合するに際し、地山面の凹凸に左右されることなく、そのトンネル周長方向の長さを確実に合わせて張設することができるトンネル施工用防水シート及びその施工方法提供することができる。
【図面の簡単な説明】
【００１３】
【図１】本発明のトンネル施工用防水シートの一例の一部を示す概略斜視図であり、図中、Ｘは同シートの短辺及びトンネル長手方向に対応する方向、Ｙは同シートの長辺及びトンネル周長方向に対応する方向を示すものである。以下、図２〜４中のＸ，Ｙも同様である。
【図２】本発明のトンネル施工用防水シートの別の例の一部を示す概略斜視図である。
【図３】本発明のトンネル施工用防水シートの更に別の例の一部を示す概略斜視図である。
【図４】従来のトンネル施工用防水シートの一例の一部を示す概略斜視図である。
【図５】本発明のトンネル施工用防水シートによる施工方法を説明するための同シート接合部位拡大概略断面図であり、図中、Ｘは同シートの短辺及びトンネル長手方向に対応する方向、Ｙは同シートの長辺及びトンネル周長方向に対応する方向を示すものである。尚、Ｙは矢印の方向を示しており、紙面に垂直に手前から奥又は奥から手前に向かう方向を示している。以下、図６中のＸ，Ｙも同様である。
【図６】従来のトンネル施工用防水シートによる施工方法を説明するための同シート接合部位拡大概略断面図である。
【図７】トンネル施工用防水シートによる施工方法を説明するための概略断面図であり、図中、Ｘは同シートの短辺及びトンネル長手方向に対応する方向、Ｙは同シートの長辺及びトンネル周長方向に対応する方向を示すものである。尚、Ｘは矢印の方向を示しており、紙面に垂直に手前から奥又は奥から手前に向かう方向を示している。
【発明を実施するための形態及び実施例】
【００１４】
以下、本発明について図面を参照してより詳細に説明する。
トンネル施工用防水シート
本発明に係るトンネル施工用防水シートは、例えば、図１に示すように、長尺帯状の透水性シート２の一面に同面形状の不透水性シート３が載置され、その両長辺（Ｙ方向に対応）の端縁部２ａ，３ａ，２ｂ，３ｂを除き、両シートが全面又は部分接合（同図は、接合ライン６による部分接合）されているトンネル施工用防水シート１であって、前記不透水性シート３にその短辺（Ｘ方向に対応）と平行に所定の等間隔で所定の幅のライン４が複数個設けられていることを特徴とするトンネル施工用防水シートである。
【００１５】
ここで、不透水性シート３の短辺（Ｘ方向に対応）と平行に所定の等間隔で所定の幅で設けられるライン４は、図３に示すように、代わりに透水性シート２にライン７として設けられていてもよく、特に図示しないが、このような図１中のライン４及び図３中のライン７がそれぞれ透水性シート２及び不透水性シート３の両方に設けられてもいてもよい。
また、図２に示すように、ライン全体の視認性をより高めるために、ライン４に加えてこのライン幅よりも相対的に細いライン幅のライン５（以下、ライン４，５をそれぞれ広幅ライン，狭幅ラインと記載することがある。）を併設してもよい。更に、特に図示しないが、このような広幅ラインと狭幅ラインとが、透水性シート２又は透水性シート２と不透水性シート３の両方に設けられていてもよい。
本発明に係る防水シートは、図１〜３に示すように、このような広幅ライン及び／又は狭幅ラインを防水シート１の透水性シート２及び／又は不透水性シート３に設けていることが特徴である。
【００１６】
このようなラインが、いずれも防水シート１の短辺（Ｘ方向に対応）に平行に所定の等間隔で複数個設けられているので、トンネル掘削坑道の地山面（一次覆工コンクリート面）に、複数の長尺帯状の防水シートを、その長辺方向をトンネル周長方向に沿わせながら、その透水性シート側を対接させ、かつ隣接する防水シートの端縁部同士を接合するに際し、前記透水性シート及び／又は前記不透水性シートに設けられた複数の等間隔のラインを相互に重なり合うよう位置決めして作業を進めていけば、地山面の凹凸に左右されることなく、そのトンネル周長方向の長さを確実に合わせて張設することができる。
【００１７】
ここで、防水シート１を構成する透水性シート２及び不透水性シート３には、いずれも従来のトンネル施工に使用されているものを使用することができる。例えば、透水性シート２には、ポリエステル，ポリオレフィン（ポリエチレン，ポリプロピレン等），エチレン酢酸ビニル共重合体，塩化ビニル等のプラスチック樹脂から形成される、目付け３００〜６００ｇ／ｍ2程度、厚さ３〜６ｍｍ程度の不織布又は織布を、不透水性シート３には、エチレン酢酸ビニル共重合体，ポリオレフィン（ポリエチレン，ポリプロピレン等），ポリ塩化ビニル等のプラスチック樹脂から形成される、目付け５４０〜１，９００ｇ／ｍ2程度、厚さ０．６〜２．０ｍｍ程度のシートをそれぞれ用いることができる。
【００１８】
このような透水性シート２及び不透水性シート３は、相互に同面形状であり、幅１，５００〜６，０００ｍｍ程度、特に２，０００〜５，５００ｍｍ程度、より好ましくは２，０００〜３，０００ｍｍ、長さ１０〜３５ｍ程度、特に１８〜２８ｍに加工され、どちらか一方又は両方に上記ラインを設けた後、その両長辺（Ｙ方向に対応）端縁部２ａ，３ａ，２ｂ，３ｂを除き、両シートは全面又は部分接合される。
【００１９】
透水性シート２と不透水性シート３の接合は、従来通り、両シート２，３間に、例えば、熱可塑性接着剤等を挟んで全面又は部分接合することができる。また、そのような接着剤を挟まず、両シート２，３を直接重ね合わせ、全面又は部分的に熱溶着してもよい。尚、上記熱可塑性樹脂接着剤の使用方法は、シート状のものをラミネートしても、予め加熱溶融した液状のもの、例えば、ホットメルト系接着剤をディスペンサーから突出させてもよい。
【００２０】
中でも、透水性シート２と不透水性シート３との接着強度、製造コスト等を考慮すると、図１〜３に示したように、両シート２，３の間に予め加熱溶融した液状の熱可塑性接着剤を突出させるか、又は両シート２，３同士を直接、その長辺（Ｙ方向に対応）に平行で等間隔の接合ライン６により部分接合させることが好ましい。尚、接合ライン６は、直線状、破線状及び鎖線状のいずれでもよい。
【００２１】
また、接合されない自由端となる両長辺端縁部２ａ，３ａ及び２ｂ，３ｂの距離Ａは、従来通り、２０〜５０ｃｍが好ましく、より好ましくは２５〜３５ｃｍである。これは、両長辺端縁部の距離Ａが、２０ｃｍ未満の場合、トンネル地山面の凹凸に対応させて隣接する防水シート同士の重ね代を確保することが困難となり、５０ｃｍ超過の場合、隣接する防水シート同士の一方を他方に重ね合わせる際、経験的にその自由端の距離の１／２程度の位置を目分量で追うことが困難となるためである。
【００２２】
透水性シート２及び／又は不透水性シート３にその短辺と平行に設けられるラインの間隔は、０．１〜１．０ｍが好ましく、より好ましくは０．３〜０．７ｍである。これは、ラインの間隔が、０．１ｍ未満の場合、間隔が細か過ぎるため隣接するシート同士の位置合わせが却って困難となり、１．０ｍ超過の場合、シート荷重を考慮し固定されるコンクリート釘の間隔が通常２５〜３０ｃｍであるのに対し大き過ぎるため、隣接するシート同士の位置合わせをしつつコンクリート釘を打ち付けるのが困難となるためである。
【００２３】
また、ラインの幅は、２種類のライン形成をせず１種類のラインのみ（広幅ラインのみ）の場合、１０〜１００ｍｍ、より好ましくは３０〜７０ｍｍである。これは、この範囲内のライン幅が視認性上小さ過ぎず大き過ぎず適切だからである。更に、このライン（広幅ライン）に加え、相対的にこれよりも狭いライン（狭幅ライン）の２種類のラインを形成する場合は、前者に対する後者の比率を、０．３〜０．５、即ち後者を、３〜５０ｍｍ、より好ましくは９〜３５ｍｍにするのが視認性を高める上でより効果的である。
【００２４】
このようなラインを、透水性シート２及び／又は不透水性シート３に設けるには、例えば、凸版、凹版、平版及び孔版を用いる公知の印刷方式を採用することができる。
一般に、このような印刷方式は、いずれも大規模な設備を含む工程を必要とすることなどから、透水性シート２や不透水性シート３の製造ラインへのインライン化は困難であり、一旦、透水性シート２や不透水性シート３を作製した後にオフラインで採用される。このような印刷方式のうち、特に安価なゴムやプラスチックで版の作製が可能な凸版印刷方式が好ましい。
【００２５】
使用されるインクは、透水性シート２及び不透水性シート３の色、並びにトンネル施工現場の湿度及び明るさ等を視認性を考慮しながら決定することができる。通常、透水性シート２及び不透水性シート３が無色（白色）であることから、黒、黄、オレンジ及び赤色等のインク、特にはその油性インクが好ましく、更に黄、オレンジ色の油性インクに蛍光塗料を混合したものがより好ましい。
【００２６】
一方、透水性シート２及び不透水性シート３は、最終的に防水シート１として一体的に接合されるので、上記のような位置合わせのためのラインは、必ずしも透水性シート２及び不透水性シート３の両方に設ける必要はなく、インク量、製造工数等の製造コストの観点からも、いずれか一方に設けることが好ましい。特に、透水性シート２には、上記の通り、不織布又は織布が用いられるので、透水性シート２へのライン形成には、浸み込んだり、滲んだりしないような、例えば、高粘性のインクを採用する必要があり、このようなインクを適正な粘性を保持しながら長時間使い続けるには技術的にも容易ではない。
【００２７】
このような観点から、防水シート１を構成する不透水性シート３のみに上記ラインを形成することが好ましい。不透水性シート３は、透水性シート２のような不織布又は織布ではなく、表面が平滑なシート（フィルム）であるため、上記のような、浸み込み、滲みに係る粘性等を考慮する必要がなく、インクの選択肢やその粘性を含む品質管理公差を広くし得る点で有利である。
【００２８】
更に、防水シート１を構成する不透水性シート３のみにその短辺（Ｘ方向に対応）と平行に所定の等間隔で所定の幅のラインを形成するには、上述以外の別の方法もある。通常、不透水性シート３のようなシートの成形方法には、インフレーション法、Ｔダイ法等の溶融押出成形法、溶液流延法、及びカレンダー法等があるが、いずれの成形方法もプラスチックの溶融液からシート状に一次成形されたものを最終的に冷却双ロール間を通過させて所定の厚さになるよう二次成形している。
【００２９】
本発明では、上記のいずれかのシート成形方法によって不透水性シート３を形成する際、このような二次成形工程の冷却双ロールの少なくとも一方のロール表面上に該ロール軸と平行に所定の幅のテープを貼ることによって、オンライン上で、不透水性シート３にその短辺（Ｘ方向に対応）と平行に所定の等間隔で所定の幅の圧縮痕によるラインを設けることができることを見出した。
【００３０】
この方法によれば、位置合わせのためのライン形成に上述したインクを全く用いないので、材料、製造工数等に係る製造コストの点で有利である。そして、何より、上述したインク方式によるライン形成は、インクの粘度管理の他、インクの塗布及び乾燥等の大規模な設備を含む工程を必要とすることや、また同工程と上記シート形成工程とのラインスピードの同期の取り難さ等から、インライン化が難しく、一方、この圧縮痕によるライン形成は、上記の通り、極めて簡便且つ容易にインライン化ができる点でも有利である。
【００３１】
このとき、この方法により形成されるラインの幅はテープの幅になり、ライン同士の間隔は冷却ロールの外周の長さを貼着したテープ数で割ったものとなる。例えば、外周の長さが１ｍの冷却ロール表面上に、該ロール軸と平行に１ｃｍ幅のテープを１本貼着した場合、不透水性シート３を形成するオンライン上で、不透水性シート３にその短辺（Ｘ方向に対応）と平行に１ｍの等間隔で１ｃｍ幅のラインが連続的に設けられることになる。この態様は、図１の防水シート１に相当する。また、外周の長さが１ｍの冷却ロール表面上に、該ロール軸と平行に５ｃｍ幅のテープを１本貼着し、更に該ロール軸を対称軸としてこのテープと反対側に該ロール軸と平行に２ｃｍ幅のテープを１本貼着した場合、不透水性シート３を形成するオンライン上で、不透水性シート３にその短辺（Ｘ方向に対応）と平行に０．５ｍの等間隔で５ｃｍ幅と２ｃｍ幅のラインが交互に連続的に設けられることになる。この態様は、図２の防水シート１に相当する。
【００３２】
本発明においては、図１，２のいずれの防水シート１でもよいが、１０数ｍ超過もの周長に亘って、隣接する防水シート同士を合わせる際の視認性を考慮すると、図１のように、同じ幅の広幅ライン４が等間隔で単調に並んだものよりも、図２のように、広幅ライン４と狭幅ライン５とが交互に等間隔で並んでいるものの方がより好ましい。
【００３３】
このように、ライン幅、ライン間隔は、上述した適切なライン幅、ライン間隔の範囲を考慮しながら、貼着するテープの幅、貼着するテープの数、及び冷却ロールの外周（即ち、直径φ×π）を適当に組み合わせることによって自由に設計することができる。
【００３４】
ここで、冷却双ロールの少なくも一方のロールに貼着されるテープは、耐熱性を有すること以外、特に限定されるものではない。耐熱性に係る融点は、１８０〜４００℃程度、特に２００〜３５０℃程度のものが要求される。例えば、ポリエステル、テフロン（登録商標）、シリコーン、ポリイミド等の基材にシリコーン、エポキシ等の樹脂系粘着剤を組み合わせた、厚さ１０〜１５０μｍ、特に３０〜１００μｍ、幅１０〜１５０ｍｍ、特に２０〜１００ｍｍのものが好適である。
尚、必要に応じてこのようなテープを２種類以上重ね合わせて使用してもよい。
【００３５】
冷却双ロールは、従来通りの鋼材が好適に使用されるが、このような冷却双ロールのうち、少なくとも上記テープを貼着するロールと対をなす他方のロールは、耐熱性であって、かつ該貼着されたテープによる部分的な強い荷重を逃がすことができる材質を使用したものでもよい。例えば、離型性と適当な弾性を有するシリコーンゴム等が好適である。
【００３６】
ここで、冷却双ロールによる不透水性シート３への圧力は、不透水性シート３の無地部（ライン４，５以外の部分）の厚さに対するライン４，５部の厚さの比率が０．３〜０．９５、好ましくは０．５〜０．９５、より好ましくは０．６〜０．９となるように印加する。これは、冷却双ロールにより不透水性シート３への圧力が高まるにつれて、不透水性シート３に圧縮痕によるライン４，５が形成されると共に、次第にライン４，５そのものがより視認性の高い透明なものに変化していくが、比率が０．９５超過の場合、圧縮痕が弱過ぎて視認性を確保できないことがあり、比率が０．３未満の場合、圧縮痕が強過ぎるため強度が低下してしまい破損をきたすことがあるからである。
尚、冷却双ロールの不透水性シート３の無地部への圧力印加は、従来通り、レベラーとしての厚さを確保する範囲内で実施すればよい。
【００３７】
特に、不透水性シート３に設けられるラインが透明であると、隣接する防水シート１，１の端縁部同士３ａ，３ｂを接合するに際し、そのトンネル周長方向Ｙの長さを揃えるべく該ラインを相互に重なり合うよう位置決めするとき、このラインを透して下地に見える不透水性シート同士３，３の重なり具合も確認できるので作業性が極めて良くなる。これは、トンネル地山５０の凹凸が大きいときや、複数の作業員で防水シート１，１をトンネル地山５０に押し付ける際の力に大きな個人差があるとき等に特に有効である。
【００３８】
冷却双ロールの表面仕上げは、特に限定されないが、艶消し（マット）（表面粗さ１０〜５０μｍ程度）、艶有り（セミマット）（表面粗さ０．３〜０．６μｍ程度）、及び鏡面仕上げのうち、特に、不透水性シート３の無地の部分を曇り気味にしつつ、上記テープを貼着した部分のみを透明に加工することが可能な艶消し仕上げが、このような位置合わせのためのラインの視認性をより高めるためより好適である。
【００３９】
尚、冷却双ロールのロール直径は、上述したライン間隔を考慮し、３００〜１，５００ｍｍ、特に５００〜１，２００ｍｍが好適である。冷却双ロールのロール幅は、防水シートの幅を考慮し、通常、１，５００〜３，５００ｍｍ、特に２，０００〜３，０００ｍｍが好適である。
【００４０】
トンネル施工用防水シートの施工方法
本発明に係るトンネル施工用防水シートの施工方法は、例えば、図１又は図２の防止シート１を用いて施工する図５のように、トンネル掘削坑道の地山（一次覆工コンクリート）５０面に、複数の防水シート１，１を、その長辺方向Ｙ，Ｙをトンネル周長方向Ｙに沿わせながら、その透水性シート２，２側を対接させ、かつ隣接する防水シート１，１の不透水性シート３，３に設けられたライン４，４又は４，４，５，５が相互に重なり合うよう位置決めすると共に、隣接する透水性シート２，２の端縁部同士２ａ，２ｂを重ね合わせ、これを地山５０面にコンクリート釘４０で固定して接合し、次いで隣接する不透水性シート３，３の端縁部同士３ａ，３ｂを重ね合わせるか、又は図示しないが合掌させて液密に熱溶着６０して接合することを特徴とするトンネル用防水シートの施工方法である。
そして、この一連の作業を繰り返すことにより、逐次、トンネル周長方向Ｙ及び長手方向Ｘへ防水シートの張設を拡張していくことができる。
【００４１】
尚、上述のうち、図示しない、隣接する不透水性シート３，３の端縁部同士３ａ，３ｂを合掌させて液密に熱溶着６０して接合するとは、例えば、特許文献１（特開平６−１２９１９２号公報）の図２における不透水性シートの遊離部分１０ａ，１０ｂのような合掌状の重ね合わせとその溶着１６（１ｂ）なる態様を意味する。
【００４２】
図１又は図２の防水シート１を用いて施工する場合以外、即ち、図３の防水シート１、及び特に図示しない、図２中の位置決めのためのライン４，５が不透水性シート３の代わりに、透水性シート２、又は透水性シート２と不透水性シート３の両方に設けられた防水シート１を用いて施工する場合も、隣接する防水シート１，１の、透水性シート２，２、又は透水性シート２，２と不透水性シート３，３に設けられた、それぞれのラインが相互に重なり合うよう位置決めして施工する以外は全く同様に施工することができる。
【００４３】
ここで、このような防水シート１を用いて施工する際は、防水シート１と地山５０面の間にできる限り隙間を作らないように張設していかないと、その隙間が原因となってトンネル内空構造物全体の強度問題に発展することもあり得るので注意が必要である。例えば、隣接する防水シート１，１のうち、一方の防水シート１の地山５０面が平坦で、これに対応する他方の防水シート１の地山５０面が深い凹又は凸を含むものであった場合、前者の平坦な地山５０面に張設する防水シート１に対して後者の深い凹又は凸を含む地山５０面に張設する防水シート１の方が余計に多くの長さを必要とするので、後者の防水シート１を地山５０面に隙間なく押し当てつつ、前者の防水シート１を適度に弛ませながら且つ地山５０面には隙間なく押し当て、前者と後者の防水シートの透水性シート及び／又は不透水性シートに設けられた複数のラインを相互に重なり合うように位置決めしながら張設していくようにする。
【００４４】
このように、本発明のトンネル施工用防水シートを用い、該防水シートの透水性シート及び／又は不透水性シートに設けられた上記ラインを相互に重なり合うよう位置決め、接合することによって、隣接する防水シートの、慣例的に目分量により所定の重ね代としてきたトンネル長手方向Ｘへの長さを揃えるのみならず、特に、地山面の凹凸に左右されることなく、トンネル周長方向Ｙの長さをも確実に揃えて張設して行くことができる。
【００４５】
従って、隣接する防水シート同士の長さをトンネル長手方向Ｘのみならず、特にトンネル周長方向Ｙも確実に揃えることができるので、実用時において、地山からの湧水をどの方向にも均等に含ませることができ、隣接する防水シート張設直後はいうまでもなく、経時的にも両シートの接合面に含水重量差による応力歪が生じ難く、防水シートの脱落も起き難いことから液密な状態を長期に保つことができる。
【００４６】
尚、本発明に係るトンネル掘削坑道地山面への防水シート１の張設の展開の仕方は従来の方法に従う。即ち、長尺帯状の防水シート１の長辺中央部をトンネル掘削坑道地山５０面の天井部に固定し、次いでその両側端部を該坑道周長方向（Ｙ方向に対応）左右両壁面に沿わせながら上方から順次固定していくか、又は長尺帯状の防水シート１の長辺一端部をトンネル掘削坑道地山５０面の一方の側壁底部に固定し、次いでこの防水シート１を該坑道周長方向（Ｙ方向に対応）壁面に沿わせ展開させながら天井部を経て他方の側壁底部まで順次固定していくかは、特に限定されるものではなく、どちらの方法を採用しても構わない。
【００４７】
また、隣接する防水シート１の、透水性シート同士２，２の接合、及び不透水性シート同士３，３の接合も従来の方法に従う。特に、不透水性シート同士３，３の接合については、不透水性シート同士３，３の位置決めをしたのち、その接合面に３５０〜５５０℃程度の熱風をあてて重ね合わせ、外部から０．５〜２．０ｋｇｆ／ｃｍ2程度圧力で押圧すればよい。
【００４８】
以上、本発明を好適な実施形態例に基づいて説明したが、本発明は、これらに限定されることはなく、本発明の要旨を逸脱しない範囲で種々変更して差支えない。
例えば、前記透水性シート及び／又は前記不透水性シートにその短辺と平行に所定の等間隔で所定の幅で複数設けられるラインは、必ずしも直線でなくても、破線でも、適当な形状（例えば、○，×，△及び□等）、大きさのものを一列に並べたものでも構わない。
【産業上の利用可能性】
【００４９】
本発明によれば、トンネル掘削坑道の地山面（一次覆工コンクリート面）に、複数の防水シートを対接させて張設し、かつ隣接する防水シートの端縁部同士を接合するに際し、地山面の凹凸に左右されることなく、特にトンネル周長方向の長さを確実に合わせて張設することができるトンネル施工用防水シート及びその施工方法を提供することができるので、防水シート張設直後はいうまでもなく経時的にも液密な状態を長期に保ちたいトンネル施工分野に有用である。
【符号の説明】
【００５０】
１      防水シート
２      透水性シート
３      不透水性シート
４，７  （広幅）ライン
５      （狭幅）ライン
６      接合ライン
４０    コンクリート釘
５０    地山（一次覆工コンクリート）
６０    熱溶着
７０    二次覆工コンクリート
【図１】
2013147821.tif 000003
【図２】
2013147821.tif 000004
【図３】
2013147821.tif 000005
【図４】
2013147821.tif 000006
【図５】
2013147821.tif 000007
【図６】
2013147821.tif 000008
【図７】
2013147821.tif 000009